(57)【特許請求の範囲】
【請求項１】
演奏されるカラオケ楽曲信号と入力される歌唱者の音声信号とを比較してカラオケ歌唱の評価を行うカラオケ歌唱評価装置を含むカラオケシステムにおいて、
前記カラオケ楽曲の一部分ごとにカラオケ歌唱の評価を行う部分評価手段と、
前記部分評価手段が行なったカラオケ歌唱の評価結果を部分ごとに記憶する評価結果記憶手段と、
前記歌唱者の音声信号と演奏されたカラオケ楽曲信号との合成信号を記憶する合成信号記憶手段と、
評価を行った部分を指定する入力手段と、
前記入力手段にて指定された部分の前記評価結果記憶手段に記憶された評価結果を表示する表示手段と、
前記入力手段にて指定された部分の前記合成信号記憶手段に記憶された合成信号を再生する合成信号再生手段と、
を具備することを特徴とするカラオケシステム。
【請求項２】
演奏されるカラオケ楽曲信号と入力される歌唱者の音声信号とを比較してカラオケ歌唱の評価を行うカラオケ歌唱評価装置を含むカラオケシステムにおいて、
前記カラオケ楽曲の一部分ごとにカラオケ歌唱の評価を行う部分評価手段と、
前記部分評価手段が行なったカラオケ歌唱の評価結果を部分ごとに全て記憶する評価結果記憶手段と、
前記評価結果記憶手段が記憶する評価結果の中から最高の評価結果を認識する第１認識手段と、
前記第1認識手段にて認識された最高の評価結果を表示する表示手段と、
前記歌唱者の音声信号と演奏されたカラオケ楽曲信号との合成信号を記憶する合成信号記憶手段と、
前記第１認識手段が認識した最高の評価結果に対応する合成信号を指定する第１指定手段と、
前記合成信号記憶手段に記憶され、第１指定手段で指定された合成信号を再生する合成信号再生手段と、
を具備することを特徴とするカラオケシステム。
【請求項３】
演奏されるカラオケ楽曲信号と入力される歌唱者の音声信号とを比較してカラオケ歌唱の評価を行うカラオケ歌唱評価装置を含むカラオケシステムにおいて、
前記カラオケ楽曲の一部分ごとにカラオケ歌唱の評価を行う部分評価手段と、
前記部分評価手段が行なったカラオケ歌唱の評価結果を部分ごとに全て記憶する評価結果記憶手段と、
前記評価結果記憶手段が記憶する評価結果の中から最低の評価結果を認識する第２認識手段と、
前記第２認識手段にて認識された最低の評価結果を表示する表示手段と、
前記歌唱者の音声信号と演奏されたカラオケ楽曲信号との合成信号を記憶する合成信号記憶手段と、
前記第２認識手段が認識した最低の評価結果に対応する合成信号を指定する第２指定手段と、
前記合成信号記憶手段に記憶され、第２指定手段で指定された合成信号を再生する合成信号再生手段と、
を具備することを特徴とするカラオケシステム。
【請求項４】
演奏されるカラオケ楽曲信号と入力される歌唱者の音声信号とを比較してカラオケ歌唱の評価を行うカラオケ歌唱評価装置を含むカラオケシステムにおいて、
前記カラオケ楽曲の一部分ごとにカラオケ歌唱の評価を行う部分評価手段と、
前記部分評価手段が行なったカラオケ歌唱の評価結果を部分ごとに全て記憶する評価結果記憶手段と、
前記評価結果記憶手段が記憶する評価結果の中から最高の評価結果を認識する第１認識手段と、
前記評価結果記憶手段が記憶する評価結果の中から最低の評価結果を認識する第２認識手段と、
前記第1認識手段にて認識された最高の評価結果及び前記第２認識手段にて認識された
最低の評価結果を表示する表示手段と、
前記歌唱者の音声信号と演奏されたカラオケ楽曲信号との合成信号を記憶する合成信号記憶手段と、
前記第１認識手段が認識した最高の評価結果に対応する合成信号を指定する第１指定手段と、
前記第２認識手段が認識した最低の評価結果に対応する合成信号を指定する第２指定手段と、
前記合成信号記憶手段に記憶され、第１指定手段で指定された合成信号及び第２指定手段で指定された合成信号を再生する合成信号再生手段と、
を具備することを特徴とするカラオケシステム。
【発明の詳細な説明】
【０００１】
【発明の属する技術分野】
本発明は、演奏されるカラオケ楽曲信号と入力される歌唱者の音声信号とを比較してカラオケ歌唱の評価を行うカラオケ歌唱評価装置を含むカラオケシステムに関する。
【０００２】
【従来の技術】
従来、この種のカラオケ歌唱評価装置を具備するカラオケシステムでは、演奏されるカラオケ楽曲の歌唱基準となる楽曲基準信号とマイクから入力される歌唱者の音声信号とを比較してカラオケ歌唱の評価を行ない、その採点結果をデジタル数字により表示するシステムは既に開発され、スナックやカラオケボックスなどで使用されている。
【０００３】
このカラオケシステムを使用する歌唱者は、その歌唱結果が客観的な数値として表示されるので、只単にカラオケを歌唱するだけに留まらず、自己の歌唱力を向上させるという新たな目的意識をもってカラオケを楽しむことができる。
【０００４】
【発明が解決しようとする課題】
しかしながら、従来のカラオケシステムでは、演奏されるカラオケ楽曲の歌い始めから終わりまでを連続的に評価し、その全体的な評価結果を数値で表示するだけであり、例えば、歌い始めのフレーズやサビ部分のフレーズというように、カラオケ楽曲の一部分ごとにカラオケ歌唱の評価を行って、その結果を部分ごと表示するカラオケシステムは存在せず、歌唱者は、評価結果の善し悪しにかかわらず、自己の歌唱のどの部分が良くて、またどの部分が悪いのかを全く知ることができず、その結果、自己の歌唱力を向上させるにはどうすれば良いか分からなくなっていた。
【０００５】
本発明は、上記の問題点を解決するためになされたものであり、カラオケ歌唱の評価をカラオケ楽曲の一部分ごとに行って、その結果を部分ごと表示するとともに、その楽曲演奏とカラオケ歌唱を録音／再生することが可能なカラオケ歌唱評価装置及びカラオケシステムを提供することを目的とする。
【０００６】
【課題を解決するための手段】
請求項１に係る本発明のカラオケシステムは、上記の目的を達成するために、演奏されるカラオケ楽曲信号と入力される歌唱者の音声信号とを比較してカラオケ歌唱の評価を行うカラオケ歌唱評価装置を含み、前記カラオケ楽曲の一部分ごとにカラオケ歌唱の評価を行う部分評価手段と、前記部分評価手段が行なったカラオケ歌唱の評価結果を部分ごとに記憶する評価結果記憶手段と、評価を行った部分を指定する入力手段と、前記入力手段にて指定された部分の前記評価結果記憶手段に記憶された評価結果を表示する表示手段とを具備することを特徴とする。
【０００７】
請求項２に係る本発明のカラオケシステムは、演奏されるカラオケ楽曲信号と入力される歌唱者の音声信号とを比較してカラオケ歌唱の評価を行うカラオケ歌唱評価装置を含み、前記カラオケ楽曲の一部分ごとにカラオケ歌唱の評価を行う部分評価手段と、前記部分評価手段が行なったカラオケ歌唱の評価結果を部分ごとに全て記憶する評価結果記憶手段と、前記評価結果記憶手段が記憶する評価結果の中から最高の評価結果を認識する第１認識手段と、前記第1認識手段にて認識された最高の評価結果を表示する表示手段と、前記歌唱者の音声信号と演奏されたカラオケ楽曲信号との合成信号を記憶する合成信号記憶手段と、前記第１認識手段が認識した最高の評価結果に対応する合成信号を指定する第１指定手段と、前記合成信号記憶手段に記憶され、第１指定手段で指定された合成信号を再生する合成信号再生手段とを具備することを特徴とする。
請求項３に係る本発明のカラオケシステムは、演奏されるカラオケ楽曲信号と入力される歌唱者の音声信号とを比較してカラオケ歌唱の評価を行うカラオケ歌唱評価装置を含み、前記カラオケ楽曲の一部分ごとにカラオケ歌唱の評価を行う部分評価手段と、前記部分評価手段が行なったカラオケ歌唱の評価結果を部分ごとに全て記憶する評価結果記憶手段と、前記評価結果記憶手段が記憶する評価結果の中から最低の評価結果を認識する第２認識手段と、前記第２認識手段にて認識された最低の評価結果を表示する表示手段と、前記歌唱者の音声信号と演奏されたカラオケ楽曲信号との合成信号を記憶する合成信号記憶手段と、前記第２認識手段が認識した最低の評価結果に対応する合成信号を指定する第２指定手段と、前記合成信号記憶手段に記憶され、第２指定手段で指定された合成信号を再生する合成信号再生手段とを具備することを特徴とする。
【０００８】
請求項４に係る本発明のカラオケシステムは、演奏されるカラオケ楽曲信号と入力される歌唱者の音声信号とを比較してカラオケ歌唱の評価を行うカラオケ歌唱評価装置を含み、前記カラオケ楽曲の一部分ごとにカラオケ歌唱の評価を行う部分評価手段と、前記部分評価手段が行なったカラオケ歌唱の評価結果を部分ごとに全て記憶する評価結果記憶手段と、前記評価結果記憶手段が記憶する評価結果の中から最高の評価結果を認識する第１認識手段と、前記評価結果記憶手段が記憶する評価結果の中から最低の評価結果を認識する第２認識手段と、前記第1認識手段にて認識された最高の評価結果及び前記第２認識手段にて認識された最低の評価結果を表示する表示手段と、前記歌唱者の音声信号と演奏されたカラオケ楽曲信号との合成信号を記憶する合成信号記憶手段と、前記第１認識手段が認識した最高の評価結果に対応する合成信号を指定する第１指定手段と、前記第２認識手段が認識した最低の評価結果に対応する合成信号を指定する第２指定手段と、前記合成信号記憶手段に記憶され、第１指定手段で指定された合成信号及び第２指定手段で指定された合成信号を再生する合成信号再生手段とを具備することを特徴とする。
【００１３】
【実施の形態】
以下、本発明の実施の形態を、図面とともに詳細に説明する。図１は、本発明に係るカラオケシステムの構成を示すブロック図であって、通信カラオケに適用した場合の基本構成を示している。また、本発明に係るカラオケ歌唱評価装置１８は、同図中右側の破線内で示され、左側の破線内はカラオケ装置１である。
【００１４】
１７は、ホストコンピュータであり、電話回線を経由して、自動的に各カラオケ装置に接続し、カラオケ楽曲データをカラオケ装置１やその他のカラオケ装置（図示せず）に配信する。
７は、システム制御部であり、カラオケ装置１の全体を制御するマイクロプロセッサ等で構成されており、各種入出力装置の制御、メモリー管理及びデータ処理などを行う。
【００１５】
１２は、操作部であり、カラオケ装置１の各種状態を設定する各種キー、スイッチ及びリモコンなど（図示せず）で構成される。
１３は、表示部であり、カラオケ装置１の各種状態を設定する為に必要な情報を操作者に表示するＬＣＤやＬＥＤなどで構成される。
５は、モデムであり、電話回線などのアナログ通信回線を経由してホストコンピュータ１７とデータのやり取りを行ったり、ホストコンピュータ１７から送信されるカラオケ楽曲データをデジタル信号に変換する。
【００１６】
６は、補助記憶装置であり、主にハードディスク及びＣＤ−ＲＯＭなど書き換え可能な記憶媒体及び読み取り専用の記憶媒体で構成され、オペレーティングシステム（以下、「ＯＳ」という）、各種制御プログラム、カラオケ楽曲データ及びフォントデータなどを格納している。このカラオケ楽曲データは、システム制御部７の制御の下に、モデム５によって取り込まれ、補助記憶装置６のハードディスクに格納される。尚、補助記憶装置６としては、ＤＶＤ−ＲＯＭやＤＶＤ−ＲＡＭなど読み取り専用の記憶媒体及び書き換え可能な記憶媒体で構成してもよい。
【００１７】
また、この補助記憶装置６の管理情報記憶部（図示せず）には、記憶したカラオケ楽曲データを管理する為に必要な情報がカラオケ楽曲管理テーブルとして記憶されており、各楽曲毎に、楽曲番号、楽曲のバージョン、格納された日付（年月日）及び格納以降の選曲回数を示す情報などを記憶している。システム制御部７が、この管理情報記憶部に記憶する情報をホストコンピュータ１７に送信することにより、カラオケ装置１が格納するカラオケ楽曲の情報をホストコンピュータ１７に知らせることができる。
【００１８】
通常、カラオケ楽曲データは、補助記憶装置６の記憶容量を極力減らさない為に、データ圧縮された状態で格納されている。また、このカラオケ楽曲データは、カラオケ装置１の使用者のリクエストによって取り込まれるだけでなく、夜間などのカラオケ装置１の使用頻度の少ない時間帯に自動的に取り込まれる。
１４は、主記憶装置であり、一般的には半導体メモリーなどの書き換え及び高速アクセス可能な記憶媒体で構成され、システム制御部７の制御の下に、補助記憶装置６から読み出されたＯＳ、各種制御プログラム、データ解凍された状態のカラオケ楽曲データ及びフォントデータなどを記憶する。
【００１９】
１５は、演奏曲情報記憶部であり、一般的には半導体メモリーなどの書き換え及び高速アクセス可能な記憶媒体で構成され、システム制御部７の制御の下に、操作部１２から予約入力されたカラオケ楽曲を指定する情報などを記憶する。
２は、外部映像再生装置であり、広く普及しているＶＴＲ、ビデオＣＤプレーヤ、ＬＤプレーヤ、また最近では、ＭＰＥＧプレーヤやＤＶＤ（ＤｉｇｉｔａｌＶｉｄｅｏ  Ｄｉｓｋ）プレーヤなどであって、システム制御部７の制御の下に、記録媒体であるビデオテープや各種ディスクに記録されている映像データから映像信号を再生して出力する。
【００２０】
９は、スーパーインポーズ部であり、システム制御部７によって、主記憶装置１４に格納されたフォントデータや色替情報などが供給される。また、スーパーインポーズ部９は、システム制御部７の指示によって外部映像再生装置２から供給される背景映像信号に、供給されたフォントデータや色替情報などに基づいて作製した歌詞映像を合成して、後述する映像表示部３に出力する。
【００２１】
３は、映像表示部であり、最近広く普及しているワイドＴＶやモニターＴＶなどの複数の映像を複数のウインドウに同時に表示可能な表示装置である。また、映像表示部３は、複数の映像表示装置１〜Ｎで構成されており、各映像表示装置は、スーパーインポーズ部９から入力される映像信号に基づいた映像を同時に表示する。
【００２２】
８は、ＭＩＤＩ音源部であり、システム制御部７によって、主記憶装置１４に格納されたカラオケ楽曲データ中のＭＩＤＩデータが供給され、このＭＩＤＩデータを電子楽器の機能によって演奏音楽信号として出力する。
１０は、ミキサ／アンプ部であり、ＭＩＤＩ音源部８から出力された演奏音楽信号と、マイク４によって取り込まれた歌い手の歌声の信号とを合成及び増幅してスピーカ１１に出力することによって、演奏音楽及び歌い手の歌声を可聴音として再生する。また、ミキサ／アンプ部は、演奏音楽信号と歌い手の歌声の信号との合成信号（以下、単に「合成信号」という）の送信及び受信を、後述する合成信号処理部と行なう。
【００２３】
１６は、楽曲基準信号作成部であり、ＭＩＤＩ音源部８から出力された演奏音楽信号に基づいて、カラオケ楽曲の歌唱基準となる楽曲基準信号を作成して出力するとともに、カラオケ採点の開始、カラオケ楽曲演奏の開始及び終了を示す制御信号を出力する。
１９は、信号比較部であり、楽曲基準信号作成部１６から入力される楽曲基準信号とマイク４から入力される歌唱者の音声信号とを比較して出力する。
【００２４】
２０は、採点部であり、後述する制御部の指示の下、楽曲基準信号作成部１６から出力された比較信号に基づいてカラオケ歌唱の評価を行う。
２１は、制御部であり、カラオケ歌唱評価装置１８の全体を制御するマイクロプロセッサ等で構成されており、各種入出力装置の制御、メモリー管理及びデータ処理などを行う。
【００２５】
２２は、点数表示部であり、ＬＥＤやＬＣＤなどで構成されており、制御部２１の出力する採点結果を表示する。
２３は、入力部であり、カラオケ歌唱評価装置１８の各種状態を設定する各種キー、スイッチ及びリモコンなど（図示せず）で構成される。
２４は、合成信号処理部であり、制御部２１の指示の下、ミキサ／アンプ部１０から受信した合成信号をデジタル変換して合成信号記憶部２５に記憶させるとともに、合成信号記憶部２５に記憶した合成信号をアナログ変換してミキサ／アンプ部１０に送信する。
【００２６】
つぎに、上述のように構成された本発明に係るカラオケ歌唱評価装置を具備するカラオケシステムの動作について、記録動作と再生動作に分けて詳細に説明する。
記録動作：
操作者が、カラオケ装置１及びカラオケ歌唱評価装置１８の電源をＯＮにすると、システム制御部７は、自動的に補助記憶装置６が記憶するＯＳを主記憶装置１４にダウンロードし、種々の初期設定を行った後、演奏待機状態となり、操作部１２からの入力を待つ。また制御部２１は、種々の初期設定を行った後、採点待機状態となり、楽曲基準信号作成部１６からのカラオケ採点の開始、カラオケ楽曲演奏の開始及び終了を示す制御信号の入力を待つ。
【００２７】
操作者が、表示部１３に表示される情報を見ながら、操作部１２に含まれるリモコンを操作して、演奏を希望する曲の番号やカラオケ採点を行なうか否かの情報を入力して選曲をおこなうと、システム制御部７は、それらの入力されたデータを演奏曲情報記憶部１５に記憶する。通常、システム制御部７は、演奏曲情報記憶部１５に記憶する曲番号データの登録順序に従って演奏曲を再生するが、説明を簡略化するために、この演奏曲の登録以前には何も登録されておらず、またこの演奏曲の再生とともにカラオケ採点を行なうものと仮定する。
【００２８】
システム制御部７は、演奏曲情報記憶部１５を常に検索しており、再生すべき演奏曲があるか否か、またカラオケ採点を行なうか否かを判断するが、この場合にはカラオケ採点を行なうべき曲番号データが登録されているので、直ちに演奏曲の再生動作に移行する。
システム制御部７は、演奏曲情報記憶部１５に記憶する曲番号データに基づいて、補助記憶装置６が格納するカラオケ楽曲データの中からその曲番号に該当するカラオケ楽曲データを検索し、データ圧縮された状態で格納されているカラオケ楽曲データをカラオケ伴奏データ、歌詞データ及びバックコーラスデータに解凍して一旦補助記憶装置６に格納した後、主記憶装置１４にその一部のデータだけを転送して記憶する。そして、システム制御部７は、歌詞表示に必要なフォントデータを主記憶装置１４にダウンロードして、カラオケ楽曲の演奏を直ちに開始する。
【００２９】
システム制御部７は、カラオケ楽曲の演奏に際して、カラオケ伴奏データ及びバックコーラスデータに基づいて、ＭＩＤＩ音源部８を制御することによって、曲の演奏に必要な演奏信号を再生し、その演奏信号をミキサ／アンプ部１０に出力させる。そして、ミキサ／アンプ部１０は、この演奏信号とマイク４から入力される歌い手の音声信号とを合成してスピーカ１１及び合成信号処理部２４に出力することによって、演奏曲と歌声を可聴音として再生する。
【００３０】
また、システム制御部７は、歌詞表示制御データ中のジャンル情報に基づいて、外部映像再生装置２を制御して、楽曲のジャンルに応じた背景映像をスーパーインポーズ部９に出力させるとともに、歌詞表示制御データ中のフォントインデックス及び色替情報に基づいて、歌詞映像をスーパーインポーズ部９に出力すると、スーパーインポーズ部９は、背景映像と文字映像とを合成して映像表示装置３へ出力して再生する。
【００３１】
システム制御部７は、カラオケ歌唱の評価に際して、カラオケ採点を行なう旨の制御信号を楽曲基準信号作成部１６に出力するとともに、ＭＩＤＩ音源部８を制御することによって、カラオケ伴奏データ中のガイドメロディー信号を楽曲基準信号作成部１６に出力させる。
楽曲基準信号作成部１６は、カラオケ採点を行なう旨の制御信号を受信すると、その旨の制御信号とカラオケ楽曲のサビなどの部分フレーズの開始と終了を示す信号（以下、「フレーズ識別信号」という）とを制御部２１に出力するとともに、ガイドメロディー信号に基づいて、カラオケ楽曲の歌唱基準となる楽曲基準信号を作成して信号比較部１９に出力する。また信号比較部１９には、これと同時にマイク４から歌い手の音声信号が入力される。
【００３２】
信号比較部１９は、楽曲基準信号と歌い手の音声信号とが入力されると、それらの信号の比較信号、例えば、楽曲基準信号と音声信号との差信号を採点部２０に出力する。
制御部２１は、カラオケ採点を行なう旨の制御信号とフレーズ識別信号を受信すると、カラオケ楽曲のサビなどの部分フレーズごとにカラオケ採点の開始と終了の範囲を認識して、採点開始及び採点終了を示す制御信号を採点部２０に出力するとともに、合成信号処理部２４に録音開始命令を出力する。
【００３３】
採点部２０は、制御部２１から制御信号を受信すると、信号比較部１９からの比較信号に基づいて、カラオケ歌唱の評価結果を部分フレーズごとに制御部２１に出力すると、制御部２１は採点部２０からのカラオケ歌唱の評価結果を制御部２１の内蔵ＲＡＭに一時的に記憶するとともに、部分フレーズごとに点数表示部に出力して表示する。
【００３４】
また、合成信号処理部２４は、制御部２１から録音開始命令を受信すると、ミキサ／アンプ部１０から入力される合成信号をＡＤ変換して部分フレーズに対応付けて合成信号データとして合成信号記憶部２５に記憶する。
再生動作：
上述のようにして部分フレーズごとの採点及び記録動作が終了後、操作者が入力部２３を操作して希望する再生動作を指示すると、制御部２１は、その再生指示命令を解析して、指定された部分フレーズの再生を行なう。
【００３５】
例えば、操作者が最高の評価を得た部分フレーズの再生を指示した場合、制御部２１は、その内蔵ＲＡＭに一時的に記憶したカラオケ歌唱の評価結果から最高評価の部分フレーズを認識して、合成信号処理部２４にその部分フレーズの再生命令を出すとともに、その点数を点数表示部２２に表示する。
合成信号処理部２４は、部分フレーズの再生命令を受信すると、その部分フレーズに対応付けて記憶した合成信号データをＤＡ変換してミキサ／アンプ部１０に出力すると、スピーカ１１から最高評価の部分フレーズが再生される。但し、部分フレーズの再生は、操作者が入力部２３を操作することにより、最低の評価を得た部分フレーズの指定や所望の部分フレーズの指定を行なったり、録音前に最高／最低フレーズ自動再生モードにすれば、録音動作終了後直ちに、最高及び最低の評価を得た部分フレーズが評価点数の表示とともに自動的に再生される。
【００３６】
【発明の効果】
本発明に係るカラオケ歌唱評価装置を含むカラオケシステムによれば、歌い始めのフレーズやサビ部分のフレーズというようなカラオケ楽曲の一部分ごとにカラオケ歌唱の評価を行って、その評価得点を表示するとともに、演奏音楽と歌い手の歌声とを同時に再生するので、歌唱者は自己の歌唱の善し悪しをフレーズごとに理解することができ、評価の低い部分を重点的に練習することにより自己の歌唱力を向上させることが可能となる。
【図面の簡単な説明】
【図１】本発明に係るカラオケシステムの構成を示すブロック図である。
【符号の説明】
１        カラオケ装置
２        外部映像再生装置
３        映像表示部
４        マイク
５        モデム
６        補助記憶装置
７        システム制御部
８        ＭＩＤＩ音源部
９        スーパーインポーズ部
１０      ミキサ／アンプ部
１１      スピーカ
１２      操作部
１３      表示部
１４      主記憶装置
１５      演奏曲情報記憶部
１６      楽曲基準信号作成部
１７      ホストコンピュータ
１８      カラオケ歌唱評価装置
１９      信号比較部
２０      採点部
２１      制御部
２２      点数表示部
２３      入力部
２４      合成信号処理部
２５      合成信号記憶部
【図１】
0003615378.tif 000002